(57)【要約】【課題】車体番号を共通して中古車の車両履歴データが収納された複数の事業者サイトから車両履歴データを収集し、これを検索・利用できるようにすることを課題とする。【解決手段】サイト固有の車体番号を共通する車両履歴データ群を収納した複数の事業者サイトに対して、車両情報統合センターウェブサイトにはデータベースが設けられ、ユーザーの選択により上記事業者サイトに収納された車体番号を共通する車両履歴データを引き出し、この車両履歴データをデータベースに車体番号をキーとして登録する車両履歴データ収集・検索ウェブサイトシステム。【選択図】図１
2018063562.tif 000002
【特許請求の範囲】
【請求項１】
サイト固有の車体番号を共通して車両履歴データを収納した複数の事業者サイトに対して、車両情報統合センターウェブサイトにはデータベースが設けられ、ユーザー指令により選択された上記事業者サイトに収納された車両履歴データを引き出し、この車両履歴データを、車体番号をキーとしてデータベースに登録する車両履歴データ収集・検索ウェブサイトシステム。
【請求項２】
請求項１記載の車両履歴データ収集・検索ウェブサイトシステムにおいて、損害保険会社提携サイト、オークション協会提携サイト、整備事業者グループ提携サイト等の提携サイトを設け、車両情報統合センターウェブサイトのデータベースに検索する車両履歴データがない場合に上記提携サイトのデータベースから検索する車両履歴データ収集・検索ウェブサイトシステム。
【請求項３】
請求項１に記載した車両履歴データシステムを用いてユーザーが車両情報統合センターウェブサイトにログインするステップ（１）と、ユーザーが使用したい事業者サイトを選択するステップ（２）と、事業者サイトではサービスに関連する車体番号と車両履歴データを車両情報統合センターウェブサイトに登録要求するステップ（３）と、データベースでは登録要求された車両履歴データタイプに従って該当するテーブルに登録するステップ（４）からなる車両履歴データの収集方法。
【請求項４】
請求項１に記載した車両履歴データシステムを用いて行うユーザーが車両情報統合センターウェブサイトにログインするステップ（１）と、ユーザーが使用したい事業者サイトを選択するステップ（２）と、エンドユーザーが選んだ事業者サイトではサービスに関連する車体番号と車両履歴データを車両情報統合センターウェブサイトに登録要求するステップ（３）と、車両履歴データがデータベースに存在する場合は、データベースに読み出しを指示するステップ（４）と、データベースでは指示されたデータを引き出して戻すステップ（５）と、車両情報統合センターウェブサイトは要求された車両履歴データを戻すステップ（８）からなる車両履歴データの検索方法。
【請求項５】
車両履歴データがデータベースに存在しない場合は、必要な提携サイトにデータの送信  依頼するステップ（６）と、提携サイトではデータを引き出して戻先URLに送信するステップ（７）と、車両情報統合センターウェブサイトは要求された車両履歴データを戻すステップからなる請求項３記載の車両履歴データの検索方法。
【発明の詳細な説明】
【技術分野】
【０００１】
本発明は、例えば中古車の車両履歴データ収集・検索システムと該システムによる車両履歴データの収集並びに検索方法に関するものである。
【背景技術】
【０００２】
海外先進国では国際標準で定められた車両識別番号（VIN）をベースとして管理されており、警察や陸運局に相当する公的機関等が主に収集した車両履歴データを基に作成した車両履歴レポートを中古車両を購入するエンドユーザーに提供するビジネスが存在しており、米国では２００６年に既に消費者の３４％が中古車の車両履歴レポートを購入しており、現在では更に一般的傾向になっている。
【０００３】
しかし、我が国においては個々の車両について車体番号による管理が行われているが、中古車販売乃至購入、輸出入を行う業者がエンドユーザーに対して購入或いは中古車両について各種判断をするための統一された車両履歴レポートを提供するようなことはなされていない。
【０００４】
また、公的機関についても、中古車の車両履歴データを積極的に収集して積極的に開示することも行われておらず、更に民間車検工場（指定工場）で行われている車検・法定点検の記録簿等はデータ化して全ての国民に公開することは行われていない現状にある。
【先行技術文献】
【特許文献】
【０００５】
【特許文献１】特開２００２−１４９７７４
【発明の概要】
【発明が解決しようとする課題】
【０００６】
このため、我が国においてはエンドユーザーである消費者は中古車の外観のみに頼るしかなく、安心して中古車を購入できず、これが現在３７０万台あるといわれる中古車両の販売乃至１２５万台あるといわれる輸出入市場を停滞させる一因ともなっている。
【０００７】
これに対して、各種中古事業者の開設するサイト（事業者サイト）には車体番号をキーとして検索できるそれぞれの車両履歴データが蓄積されている。
【０００８】
本発明者らは、これら事業者サイトを利用して各種車両履歴データを収集し、車体番号をキーとして車両履歴データを検索・利用できるような車両履歴データ収集・検索システムと該システムによる車両履歴データの収集並びに検索方法を提案するものである。
【課題を解決するための手段】
【０００９】
本発明に係る車両履歴データ収集・検索システムは、サイト固有の車体番号を共通して車両履歴データを収納した複数の事業者サイトに対して、車両情報統合センター（ＶＩＣ）ウェブサイト（ＶＩＣウェブサイト）にはデータベース（ＶＩＣ  ＤＢ）を設け、ユーザー指令により選択された上記事業者サイトに収納された車両履歴データを引き出し、この車両履歴データを、車体番号をキーとしてＶＩＣ  ＤＢに登録して構成される。
【００１０】
ここで、車両履歴データを収集する事業者サイトとその収集データとしては、例えば
A． 検査指定工場・・・・・・・・・・・・・・・・・・検査結果データ（検査システム  クラウド型）
B． カーオーナー（個人会員＆有料診断者）・・・OBD２診断データ（スマホ等）
C． グループ内の整備事業者・・・・・・・・・・・・・・車検・点検・一般整備履歴データ（データ通信）
D． 中古車販売事業者・オークション査定表、整備履歴、購買履歴データ（データ通信）
E．  オークション協会・・・・オークションデータ（データ通信）
F．  提携業者・整備事業者グループ、FC、協会（車検・整備履歴、購買データ通信）
G． 車体番号でのインターネット無料故障診断＆査定（個人オーナー）
H． 国土交通省・・・車体番号ベースの整備記録簿データ
I．   保険会社・・・・車体番号ベースの事故情報データ、整備マニュアルデータ、トラブルシューティングデータ（コールセンターノウハウ  症状での診断）
等を挙げることができる。
【００１１】
また、本発明においてユーザーとしては自動車の購入者であるエンドユーザーの他に、各種事業者ユーザーも含まれている。
【００１２】
本発明に係る車両履歴データシステムを用いて車両履歴データの収集は、ユーザーがＶＩＣウェブサイトにログインするステップと、ユーザーが使用したい事業者サイトを選択するステップと、事業者サイトではサービスに関連する車体番号と車両履歴データをＶＩＣ  ＤＢに登録要求するステップと、ＶＩＣ  ＤＢでは登録要求された車両履歴データタイプに従って該当するテーブルに登録するステップで行われる。
【００１３】
本発明に係る車両履歴データシステムを用いて車両履歴データの検索は、ユーザーがＶＩＣウェブサイトにログインするステップと、ユーザーが使用したい事業者サイトを選択するステップと、事業者サイトではサービスに関連する車体番号と車両履歴データをＶＩＣウェブサイトに検索要求するステップと、車両履歴データがＶＩＣ  ＤＢに存在する場合は、ＶＩＣ  ＤＢに読み出しを指示するステップと、ＶＩＣ  ＤＢでは指示されたデータを引き出すステップと、ＶＩＣウェブサイトは要求された車両履歴データを戻すステップで行われる。
【００１４】
なお、この場合、車両履歴データがＶＩＣ  ＤＢに存在しない場合は、必要な提携サイトにデータの送信依頼するステップと、提携サイトではデータを引き出して戻先URLに送信するステップと、VICウェブサイトは要求された車両履歴データを戻すステップからなる方法を採用することができる。
【発明の効果】
【００１５】
（１）本発明では、今まで一般に入手できなかった各種車両履歴データを、事業者サイトからVICウェブサイトを通して有料無料を問わず顧客に提示することにより中古車の販売促進を図ることができる。
（２）本発明では、エンドユーザーである自動車の購入者がVICウェブサイトを通して各種車両履歴データの提示を受けることができることにより中古車を安心し購入できる。
（３）本発明では、VICウェブサイトを通して各種車両履歴データを海外に提供することにより１２５万台を超える中古車の輸出及び輸入の促進を図ることができる。
【図面の簡単な説明】
【００１６】
【図１】図1は、本発明車両履歴データ収集時のVICウェブサイトシステムの構成図
【図２】図２は、本発明車両履歴データの収集時のVICウェブサイトシステムの説明図
【図３】図３は、本発明車両履歴データ収集時のVICウェブサイトシステムのフローチャート
【図４】図４は、本発明車両履歴データ検索時のVICウェブサイトシステムの構成図
【図５】図５は、本発明車両履歴データの検索時のVICウェブサイトシステムの説明図
【図６】図６は、本発明車両履歴データ検索時のVICウェブサイトシステムのフローチャート
【発明を実施するための形態】
【００１７】
サイト固有の車体番号を共通する車両履歴データ群を収納した複数の事業者サイトに対して、ＶＩＣウェブサイトにはＶＩＣ  ＤＢが設けられ、ユーザーの選択により事業者サイトに収納された車両履歴データを引き出し、この車両履歴データをＶＩＣ  ＤＢに車体番号をキーとしてＶＩＣ  ＤＢに登録する。
【００１８】
以下、本発明を図示の実施例に基づいて説明する。
【００１９】
I．車両履歴データ収集
図1は、本発明車両履歴データ収集時のVICウェブサイトシステムの構成図、図２は、本発明車両履歴データの収集時のＶＩＣウェブサイトシステムの説明図
【００２０】
図１において、１はVICウェブサイト、２はエンドユーザー選択の事業者サイトである。
【００２１】
VICウェブサイト１には顧客管理・認証部、事業者システム選択部、車歴データ解析部、データベース（VIC DB）車両データ書き出し部、車両履歴データ群のVIC  DBが設けられている。
【００２２】
事業者サイト２には顧客認証部、サイト固有アプリケーション部、サイト固有の車体番号を共通する車両履歴データ群の収納部、車両履歴データ登録要求部が設けられている。
【００２３】
（B）図３は、本願車両履歴データ収集時のＶＩＣウェブサイトシステムのフローチャート
次に、このフローチャートを用いて本発明に係る車両履歴データ収集方法を説明すると、
【００２４】
ステップ（１）においては、ユーザーはユーザー登録を行い、ユーザー識別子が発行され、APＩに基づいてユーザー識別子や戻し先URL等のパラメータが引き渡される。このユーザー識別子で全ての事業者サイト２に自動ログインできる。
【００２５】
ステップ（２）においては、シングルオンサインにより選択した事業者サイト２に自動ログインする。この時ユーザー識別子とAPＩを渡す。
【００２６】
ステップ（３）においては、事業者サイト２ではサイト固有アプリケーション部によりAPＩの定義に従って車体番号と車両履歴データを提供するサービスを実行する。
【００２７】
このサイト固有のサービスが終了する都度、そのサービスに関連して生成された車両履歴データを、戻し先URLを指定して、戻し先URLを実行してサービスに関連する車両履歴データをＶＩＣウェブサイト１に引き渡す。
【００２８】
具体的には、事業者サイト２はAPＩの定義に従ってＶＩＣウェブサイト１に登録を要求する。
【００２９】
この情報のＶＩＣウェブサイト１への引き渡しは、ユーザーがログアウトしなければ情報を引き渡すタイミングがなくなるため、ＶＩＣウェブサイト１からユーザーがロングアウトする時でなくＶＩＣウェブサイトＶＩＣウェブサイト１内のサービスが終了する都度行うことが望ましい。
【００３０】
ステップ（４）において、パラメータデータにより情報を受け取ったウェブサイト１ではこれを解析して要求された車両履歴タイプに基づき「DB車両履歴データ書き出し部」にDB登録を指示する。この場合、登録のキーとなるのが「車体番号」である。
【００３１】
例えば、車両履歴タイプコードに「車両状態分析情報」が指定されているとその車両の自動診断履歴データに該当するテーブルに登録する。
【００３２】
登録データの内容や方法については車両履歴のタイプ毎に更に詳細なAPI定義を定めて指定できる。
【００３３】
（C）収集情報のキーと自動収集データ例
上記実施例中にも記載したOBD２による車両状態分析サイト、修理工場予約。見積サイト、自動車検定サイト、自動車販売サイト等の各種事業システムをエンドユーザーが利用する度に車体番号をキーとしてＶＩＣ  DBに蓄積されていく。
【００３４】
この蓄積されたＶＩＣ  DBはエンドユーザーと事業者ユーザーが共に利用できるため、信頼できるデータを基に消費者は安心してカーライフを楽しむことができ、また事業者ユーザーにとっては中古車関連事業販売を促進される。
【００３５】
以下は自動収集車両履歴データの例である。
（１）OBD2による車両状態分析サイト
−DTCと呼ばれる故障コードの履歴による自動診断の内容
−DTC報告時のフリーズ・フレーム・データからその時のエンジン冷却水温、エンジン回転数、負荷の状態（高負荷時であったか、低負荷時であったか）などの情報
−ある時点、期間での走行距離
中古車を購入する時にそれぞれまでの自動診断による故障報告書や走行距離を参考にできる。
【００３６】
（２）自動車検定サイト
−車両の各部分の検定ポイント
自動車査定サイトで車体番号をキーとしてその情報を入力することにより査定をより正確に行うことができる。
【００３７】
（３）修理工場予約・見積サイト
−修理予約の見積り内容
−修理結果の内容
【００３８】
II．車両履歴データ検索
（A）図４は、本発明車両履歴データ検索時時のVICウェブサイトシステムの構成図、図５は、本発明車両履歴データの検索時時のＶＩＣウェブサイトシステムの説明図
１は図１で説明した通りVICウェブサイト、２は車体番号を共通して車両履歴データを収納した事業者サイトである。
【００３９】
３は提携された車両履歴データ提供サイト、望まれた提携車両履歴データ提供サイト３は、損害保険会社提携サイト、オークション協会提携サイト、整備事業者グループ提携サイト等を挙げることができる。
【００４０】
（B）図６、本発明に係る車両履歴データ検索時のＶＩＣウェブサイトシステムのフローチャート
次に、このフローチャートを用いて本発明に係る車両履歴データ検索方法を説明すると、
【００４１】
ステップ（１）においては、ユーザーはユーザー登録を行い、ユーザー識別子が発行される。このユーザー識別子で全ての事業者サイト２に自動ログインできる。
【００４２】
ステップ（２）においては、シングルオンサインにより選択した事業者サイト２に自動ログインする。この時ユーザー識別子を渡す。
【００４３】
ステップ（３）においては、エンドユーザーが選んだ事業者サイトではサービスに必要な車両履歴データをウェブサイト１が提供するAPIを使ってウェブサイト１に要求する。
【００４４】
事業者サイトは、APIの定義に従って、要求する「車両履歴タイプコード」や要求する車両の「車体番号」や履歴データを戻すための「戻し先ＵＲＬ」等のパラメータをウェブサイト１に引き渡して車両履歴データの検索を要求する。検索のキーとなるのが「車体番号」である。
【００４５】
なお、「車両履歴タイプコード」に「車両状態分析情報」が指定されていると、その車両の自動診断履歴データを取得でき、取得データの範囲については例えば期限を指定する等車両履歴のタイプ毎に更に詳細なAPI定義を定めて指定できる。
【００４６】
ステップ（４）において、ウェブサイト１では受け取ったパラメータデータを解析して要求された車両履歴データがＶＩＣ  DBに存在する場合は、「ウェブサイト１のDB車歴データ読み出し部」に読み出しを指示する。
【００４７】
ステップ（５）において、「ウェブサイト１のDB車歴データ読み出し部」はウェブサイト１のＶＩＣ  DBから「車体番号」をキーとしてデータを引き出して戻す。
【００４８】
ステップ（６）において、ウェブサイト１のＶＩＣ  DBにデータが存在せず、提携サイトに存在する場合は、「提携車歴データ要求部」から該当する提携サイトにウェブサイト１が定義したAPIと「戻し先URL」を指定してデータの送信を依頼する。
【００４９】
この場合、検索のキーとなるのは「車体番号」と「車両履歴データタイプ」であり、データの「戻し先URL」と一緒に要求時のパラメータに指定する。
【００５０】
ステップ（７）において、提携サイトでは要求パラメータで依頼されたデータを引き出して戻し先URLに送信する。
【００５１】
ステップ（８）において、ウェブサイト１は事業者サイトに指定された戻し先URLに要求された車両履歴データを戻す。
【００５２】
（Ｂ）望まれる提携サイトと提供データ例
実施例に記載した損害保険会社提携サイト、オークション協会提携サイト、整備事業者グループ提携サイト等の各種提携システムからウェブサイト１のDBにない以下のような車両履歴データが提供され、これにより更に信頼できるデータを基に消費者は安心してカーライフを楽しむことができ、また事業者ユーザーにとっては中古車関連事業販売を促進される。
【００５３】
（１）損害保険会社提携サイト
−全損事故情報も含めた事故情報（米国の車両履歴レポートにも一般的に含まれている）
−トラブルシューティング（コールセンタノウハウ  症状での診断）
−保証の有無（米国の車両履歴レポートにも含まれている）  
−整備マニアルデータ等中古車を購入する時に参考にできる情報
【００５４】
（２）オークション協会提携サイト
−オークションデータ（出品時の車両データ及び落札価格；米国の車両履歴レポートにも出品履歴が一般的に含まれている）
中古車を購入する時に参考にできる。
【００５５】
（３）整備事業者グループ提携サイト
−車検・整備履歴（走行距離、欠陥履歴、エアバッグの展開履歴等は米国の車両履歴レポートにも一般的に含まれている）
中古車を購入する時に参考にできる。
【産業上の利用可能性】
【００５６】
以上要するに、本発明によればVICウェブサイトを通して各種車両履歴データを提供することによりエンドユーザーは中古車を安心して購入することができ、また事業者は中古車の販売乃至輸出入の促進を図ることができる。
【符号の説明】
【００５７】
１は車両情報統合センター（VIC）ウェブサイト
２は車体番号を共通して車両履歴データを収納した事業者サイト
３は提携された車両履歴データ提供サイト  
【図１】
2018063562.tif 000003
【図２】
2018063562.tif 000004
【図３】
2018063562.tif 000005
【図４】
2018063562.tif 000006
【図５】
2018063562.tif 000007
【図６】
2018063562.tif 000008